(57)【要約】【課題】原稿の表面と裏面を互いに分光分布の異なる光源を用いて光学的に読み取ることによって白黒画像を生成する場合に、原稿の各画素の表色値と生成される白黒画像の各画素の濃度との関係を表面と裏面とで近づける。【解決手段】縮小光学系３００は、原稿の表面をキセノンランプ３０１で照らし、反射光を読み取って白黒画像を生成する。密着型イメージセンサ４００は、原稿の裏面をＬＥＤ４０１Ｒ、４０１Ｇ、４０１Ｂで照らし、反射光を読み取って白黒画像を生成する。記憶部５には、ＬＥＤ４０１Ｒ、４０１Ｇ、４０１Ｂの光量を調整するための調整値を色毎に記憶している。制御部４は、調整値に従って信号を出力し、点灯制御部４０４はこの信号に従ってＬＥＤ４０１Ｒ、４０１Ｇ、４０１Ｂを点灯させる。【選択図】図２
2008131178.tif 000002
【特許請求の範囲】
【請求項１】
原稿の第１面に光を照射する第１の光源と、
出力する光のピーク波長毎のグループにグループ分けされた複数の発光素子からなる第２の光源であって、前記発光素子の光量を前記グループ毎に調整可能であり、前記発光素子から出力される光を前記原稿の第２面に照射する第２の光源と、
前記発光素子の光量を調整するための調整値を前記グループ毎に記憶する記憶手段と、
前記記憶手段に記憶されている調整値に従って前記発光素子の光量をグループ毎に調整する調整手段と、
前記第１面からの反射光を読み取り、この反射光に基づいて白黒画像を生成する第１の読取手段と、
前記第２面からの反射光を読み取り、この反射光に基づいて白黒画像を生成する第２の読取手段と
を有することを特徴とする画像読取装置。
【請求項２】
前記調整値は、前記第１の読取手段と前記第２の読取手段とで同一表色値の画素からの反射光を読み取った場合に生成される白黒画像の濃度差が所定の閾値を下回るように定められていることを特徴とする請求項１に記載の画像読取装置。
【請求項３】
色を表す指示を受け付ける受付手段を有し、
前記調整値は、前記表色値の範囲毎に定められており、
前記調整手段は、前記受付手段で受け付けられた指示で表される色を表す表色値に対応する調整値を前記記憶手段から読み出し、この調整値に従って前記発光素子の光量を調整する
ことを特徴とする請求項２に記載の画像読取装置。
【請求項４】
画像の種類を表す指示を受け付ける受付手段を有し、
前記調整値は、前記画像の種類毎に定められており、
前記調整手段は、前記受付手段で受け付けられた指示で表される種類に対応する調整値を前記記憶手段から読み出し、この調整値に従って前記発光素子の光量を調整する
ことを特徴とする請求項２に記載の画像読取装置。
【請求項５】
前記調整値は、前記発光素子の点灯時間を定めた値であり、
前記調整手段は、前記調整値に従って前記発光素子の点灯時間を調整する
ことを特徴とする請求項１乃至４のいずれかに記載の画像読取装置。
【請求項６】
前記発光素子は発光ダイオードであることを特徴とする請求項１乃至５のいずれかに記載の画像読取装置。
【請求項７】
請求項１乃至６のいずれかに記載の画像読取装置と、
前記第１および第２の読取手段で生成された白黒画像を記録媒体上に形成する画像形成手段と
を有することを特徴とする複写機。
【発明の詳細な説明】
【技術分野】
【０００１】
本発明は、画像読取装置および複写機に関する。
【背景技術】
【０００２】
読取位置に原稿を搬送する自動原稿送り装置を備え、搬送されてくる原稿の表（おもて）面側と裏面側の両方に光源およびイメージセンサを備えた画像読取装置が知られている。この画像読取装置によれば、原稿の表面と裏面の画像を同時に読み取ることができる。また、この画像読取装置は、ユーザが手作業で原稿を原稿台に載せ、表面側の光源を原稿の表面に対して平行に移動させることによって表面の画像を読み取ることができるようになっている。この種の画像読取装置では、表面側と裏面側の使用条件の違いにより、例えば表面側にキセノンランプ、裏面側にＬＥＤ（Light Emitting Diode）といったように、表面側と裏面側とで異なる種類の光源が用いられている。
【０００３】
このような画像読取装置では、光源の分光分布の違いに起因して、読み取られた画像が表面と裏面とで色調が異なってしまうという問題がある。この問題を解決するために、例えば特許文献１で開示された技術では、緑色ＬＥＤと青色ＬＥＤを組み合わせて用いることによって分光分布をキセノンランプの分光分布に近づけるようにしている。
【特許文献１】特開２００２−１１１９７４号公報
【発明の開示】
【発明が解決しようとする課題】
【０００４】
ところで、表面はカラーと白黒のどちらででも読取可能とし、両面同時読取の場合には両面とも白黒でのみ読取可能とした画像読取装置が知られている。この画像読取装置では、生成される白黒画像の濃度を表面と裏面とで一致させるために、裏面用の光源として緑色の光のみを透過する狭帯域のカラーフィルタを取り付けた白色ＬＥＤを設け、裏面用の光源の分光分布をキセノンランプの分光分布に近づけるようにしている。
【０００５】
しかし、白色ＬＥＤやカラーフィルタは高価であり、また、必要な光量を確保するために多数の白色ＬＥＤが必要であるため、装置のコストが高くなってしまう。また、カラーフィルタは固定式でるため、分光分布の変更が必要になった場合に、カラーフィルタを容易に取り替えることができない。
白色ＬＥＤの代わりに赤色、緑色、青色のＬＥＤを組み合わせて用いればコストを下げることができるが、単にこれらを組み合わせただけでは分光分布がキセノンランプと大幅に異なってしまうため、表面と裏面とで白黒画像の濃度を一致させることができない。
【０００６】
本発明は、上述した背景の下になされたものであり、原稿の表面と裏面を互いに分光分布の異なる光源を用いて光学的に読み取ることによって白黒画像を生成する場合に、原稿の各画素の表色値と生成される白黒画像の各画素の濃度との関係を表面と裏面とで近づけることのできる技術の提供を目的とする。
【課題を解決するための手段】
【０００７】
上述の課題を解決するために、請求項１に記載の発明は、原稿の第１面に光を照射する第１の光源と、出力する光のピーク波長毎のグループにグループ分けされた複数の発光素子からなる第２の光源であって、前記発光素子の光量を前記グループ毎に調整可能であり、前記発光素子から出力される光を前記原稿の第２面に照射する第２の光源と、前記発光素子の光量を調整するための調整値を前記グループ毎に記憶する記憶手段と、前記記憶手段に記憶されている調整値に従って前記発光素子の光量をグループ毎に調整する調整手段と、前記第１面からの反射光を読み取り、この反射光に基づいて白黒画像を生成する第１の読取手段と、前記第２面からの反射光を読み取り、この反射光に基づいて白黒画像を生成する第２の読取手段とを有することを特徴とする画像読取装置を提供する。
【０００８】
請求項２に記載の発明は、請求項１に記載の画像読取装置において、前記調整値は、前記第１の読取手段と前記第２の読取手段とで同一表色値の画素からの反射光を読み取った場合に生成される白黒画像の濃度差が所定の閾値を下回るように定められていることを特徴とする。
【０００９】
請求項３に記載の発明は、請求項２に記載の画像読取装置において、色を表す指示を受け付ける受付手段を有し、前記調整値は、前記表色値の範囲毎に定められており、前記調整手段は、前記受付手段で受け付けられた指示で表される色を表す表色値に対応する調整値を前記記憶手段から読み出し、この調整値に従って前記発光素子の光量を調整することを特徴とする。
【００１０】
請求項４に記載の発明は、請求項２に記載の画像読取装置において、画像の種類を表す指示を受け付ける受付手段を有し、前記調整値は、前記画像の種類毎に定められており、前記調整手段は、前記受付手段で受け付けられた指示で表される種類に対応する調整値を前記記憶手段から読み出し、この調整値に従って前記発光素子の光量を調整することを特徴とする。
【００１１】
請求項５に記載の発明は、請求項１乃至４のいずれかに記載の画像読取装置において、前記調整値は、前記発光素子の点灯時間を定めた値であり、前記調整手段は、前記調整値に従って前記発光素子の点灯時間を調整することを特徴とする。
【００１２】
請求項６に記載の発明は、請求項１乃至５のいずれかに記載の画像読取装置において、前記発光素子は発光ダイオードであることを特徴とする。
【００１３】
請求項７に記載の発明は、請求項１乃至６のいずれかに記載の画像読取装置と、前記第１および第２の読取手段で生成された白黒画像を記録媒体上に形成する画像形成手段とを有することを特徴とする複写機を提供する。
【発明の効果】
【００１４】
本発明によれば、本発明の構成を有しない場合と比較して、原稿の表面と裏面を互いに分光分布の異なる光源を用いて光学的に読み取ることによって白黒画像を生成する場合に、原稿の各画素の表色値と生成される白黒画像の各画素の濃度との関係を表面と裏面とで近づけることができる。
【発明を実施するための最良の形態】
【００１５】
＜実施形態＞
以下、図面を参照して、本発明の実施形態について、画像読取装置が組み込まれた複写機の例を用いて説明する。
図１は、複写機１の構成を表す図である。
制御部４は、ＣＰＵ（Central Processing Unit）４４、ＲＯＭ（Read Only Memory）４５、ＲＡＭ（Random Access Memory）４６からなる。記憶部５は、ハードディスク装置等の不揮発性メモリである。記憶部５はＯＳ（Operating System）等のプログラムが記憶されている他、外部から入力されたデータを記憶するためにも使用される。ＣＰＵ４４が記憶部５に記憶されているプログラムを実行することによって複写機１各部の動作を制御する。ＲＯＭ４５にはＩＰＬ（Initial Program Loader）が記憶されている。ＲＡＭ４６は、ＣＰＵ４４がプログラムを実行する際のワークエリアとして使用される。
【００１６】
指示受付部４１は、表示部３９、キー入力部４０からなり、ユーザは、これらを用いることによって複写機１に対する指示を入力することができる。表示部３９は例えば液晶装置であり、メニューを表す画像を表示する。さらに表示部３９は画面上でユーザが触れた領域を特定するセンサを備えており、タッチパネルとして機能する。キー入力部４０は、スタート、ストップ、リセットの各キーとテンキー等からなる。指示受付部４１によって受け付けられた指示はＣＰＵ４４に送られ、ＣＰＵ４４は送られてきた指示に従って複写機１の各部を制御する。
通信Ｉ／Ｆ（Interface）４８はネットワーク（図示省略）に接続されており、複写機１と他の装置との間のデータの授受を仲介する。
【００１７】
画像入力部１００は、原稿を光学的に読み取って信号を出力する。制御部４はこの信号を受け取り、原稿の画像を表すラスタ画像データをこの信号に基づいて生成する。画像入力部１００の詳細については後述する。
【００１８】
画像出力部６は、画像形成エンジン７Ｙ、７Ｍ、７Ｃ、７Ｋ、転写ベルト８等からなる。画像形成エンジン７Ｙ、７Ｍ、７Ｃ、７Ｋは、それぞれＹ（Yellow）色、Ｍ（Magenta）色、Ｃ（Cyan）色、Ｋ（Black）色の各色のトナー像を形成する。各画像形成エンジンの構成は共通であるから、ここでは画像形成エンジン７Ｙについてのみ説明する。画像形成エンジン７Ｙは、感光体ドラム２０Ｙの周囲に、帯電装置２１Ｙ、露光装置１９Ｙ、現像装置２２Ｙ、転写装置２５Ｙ等を設けて構成されている。
【００１９】
感光体ドラム２０Ｙは円筒形をなした感光体であり、周面が光導電性を有している。
帯電装置２１Ｙは、矢印Ａの方向に回転駆動される感光体ドラム２０Ｙの表面を所定の電位に帯電させる。
露光装置１９Ｙは、制御部４で生成されたラスタ画像データを受け取り、このラスタ画像データに基づいて露光用ビームＬＢを生成し、感光体ドラム２０Ｙの表面を偏向走査する。このようにして、感光体ドラム２０Ｙの表面にラスタ画像データに基づいた静電潜像が形成される。
【００２０】
現像装置２２Ｙは、感光体ドラム２０Ｙ表面に形成された静電潜像をトナーによって可視像化する。感光体ドラム２０Ｙ表面に形成されたトナー像は、転写装置２５Ｙに印加された電圧による電界の作用によって、転写ベルト８表面に転写される（１次転写）。
以上が画像形成エンジン７Ｙの構成である。画像形成エンジン７Ｍ、７Ｃ、７Ｋにおいても各色に対応したトナー像が形成され、転写ベルト８に重ねて転写される。
【００２１】
媒体供給部９にはシート状の記録媒体１０が収容されており、記録媒体１０が１枚ずつ送り出され、転写ローラ３０と転写ベルト８との接触領域に記録媒体１０が進入する。転写ベルト８上のトナー像は、転写ローラ３０に印加された電圧による電界および接触領域における加圧の作用によって、記録媒体１０表面に転写される（２次転写）。
定着装置１１では、記録媒体１０に対して加熱および加圧が行われ、トナー像が記録媒体１０表面に定着される。トナー像が定着された記録媒体１０は、媒体排出部３２に排出される。
【００２２】
図２は、画像入力部１００の構成を表す図である。画像入力部１００の動作は、制御部４が記憶部５に記憶されているプログラムを実行することによって制御される。
画像入力部１００は、原稿を読取位置に搬送する自動原稿送り装置２００を備えている。同図において、原稿としての記録媒体１０は、ローラ２０１、２０２によりプラテンガラス１１０上の読取位置に向かって運ばれる。なお、原稿の２つの面のうちプラテンガラス１１０に接触する面を表（おもて）面、反対側を裏面と呼ぶ。
読取位置には、原稿の表面側に縮小光学系（第１の読取手段）３００が、原稿の裏面側に密着型イメージセンサ（第２の読取手段）４００が設けられている。読取位置を通過した記録媒体１０は、最後にローラ２０３によって排出される。
【００２３】
縮小光学系３００は以下に示すように構成されている。キセノンランプ３０１は原稿の表面に光を照射する。照射された光は原稿によって反射され、この反射光が第１ミラー３０２、第２ミラー３０３、第３ミラー３０４により光路の向きを変えられ、レンズ３０５を介してＣＣＤラインセンサ３０６Ｒ，３０６Ｇ、３０６Ｂに達する。ＣＣＤラインセンサ３０６Ｒは、複数のＣＣＤ（Charge Coupled Device）を原稿搬送方向を横切る方向に直線状に並べ、Ｒ（Red）色に対応する波長の光を透過するカラーフィルタを取り付けたものである。同様に、ＣＣＤラインセンサ３０６Ｇ、３０６ＢにはそれぞれＧ（Green）色、Ｂ（Blue）色の光を透過するカラーフィルタが取り付けられている。ＣＣＤラインセンサ３０６Ｒ、３０６Ｇ、３０６Ｂは、受け取った反射光を信号に変換して出力する。
【００２４】
このように構成された縮小光学系３００は、読み取られた原稿の像をカラーで表す信号を出力する。また、ＣＣＤラインセンサ３０６Ｇのみを使用すれば、反射光に含まれるＧ色の成分のみが読み取られる。Ｇ色に対する視覚の感度はＫ（Black）色に対する感度に近いから、読み取られた原稿の像を白黒で表したのに近い信号を出力することができる。
【００２５】
縮小光学系３００は、自動原稿送り装置２００によって原稿を搬送する場合と、自動原稿送り装置２００を使用せずにユーザが手作業で原稿をプラテンガラス１１０上に載せた場合の両方に対応できるようになっている。自動原稿送り装置２００は複写機１の筐体（図示省略）のプラテンガラス１１０が設けられた面にヒンジによって取り付けられており、上方向に跳ね上げることができるようになっている。プラテンガラス１１０上に原稿が載せられた場合、キセノンランプ３０１と第１ミラー３０２は図１の矢印Ｃ方向に移動しながら原稿の表面を照射し反射光を得る。第２ミラー３０３と第３ミラー３０４は第１ミラーの２分の１の速度で同期して同方向に移動する。
一方、自動原稿送り装置２００によって原稿が搬送される場合、縮小光学系３００はその位置を固定されたままで原稿の読み取りを行う。
【００２６】
図３（ａ）は、密着型イメージセンサ４００の斜視図、図３（ｂ）は、密着型イメージセンサ４００の長手方向に対して垂直に切断した断面を表す断面図である。ＬＥＤ４０１Ｒ、４０１Ｇ、４０１Ｂは、それぞれＲ色、Ｇ色、Ｂ色に対応する波長の光を発するＬＥＤであり、図３（ｂ）における奥行き方向に例えばＲ、Ｇ、Ｂの順に反復して直線状に２列並べられている。２列のＬＥＤ４０１Ｒ、４０１Ｇ、４０１Ｂの間にはレンズ４０２が図３（ｂ）における奥行き方向に直線状に並べられて設けられている。密着型イメージセンサ４００の筐体の内部にはＣＣＤ４０３が図３（ｂ）における奥行き方向に直線状に並べられて設けられている。
密着型イメージセンサ４００は、図３における上面を下向きにして読取位置に設けられている。ＬＥＤ４０１Ｒ、４０１Ｇ、４０１Ｂから発せられた光は原稿の裏面に照射され、その反射光がレンズ４０２に入射し、ＣＣＤ４０３に達する。ＣＣＤ４０３は、受け取った反射光を信号に変換して出力する。この信号は、読み取られた原稿の像を白黒で表す信号である。つまり、密着型イメージセンサ４００は白黒での読み取り専用である。
【００２７】
図４は、キセノンランプ３０１が発する光のエネルギーの分光分布を表す図である。キセノンランプ３０１が発する光のエネルギーは、５４５ｎｍ付近で最も大きなピークを示し、４８５ｎｍ、５８５ｎｍ、６２０ｎｍ付近で比較的小さなピークを示す。
図５は、ＬＥＤ４０１Ｒ、４０１Ｇ、４０１Ｂが発する光のエネルギーの分光分布を表す図である。ＬＥＤ４０１Ｇが発する光のエネルギーは５２０ｎｍ付近でピークを示し、図４に示したキセノンランプ３０１のピーク波長５４５ｎｍよりも低い値を示す。
【００２８】
画像入力部１００は、原稿の表面側に縮小光学系３００、裏面側に密着型イメージセンサ４００が設けられていることにより、自動原稿送り装置２００で読取位置に搬送された原稿の表面と裏面を並行して読み取ることができるようになっている。ただし、密着型イメージセンサ４００は白黒での読み取り専用であるため、両面を並行して読み取る場合には、表面に対して縮小光学系３００のＣＣＤラインセンサ３０６Ｇのみを使用して白黒での読み取りを行う。つまり、両面を並行して読み取る場合には、両面とも白黒で読み取られるようになっている。
【００２９】
図６は、各色ＬＥＤの点灯時間を調整するための信号を表す図である。この信号は、制御部４によって出力され、図２に示す点灯制御部４０４に入力される。点灯制御部４０４は、入力された信号に従って各色ＬＥＤに電力を供給する。図６において横軸は時間、縦軸は信号のレベルである。CIS_LGATEは原稿搬送方向を横切る方向の１ライン分の読み取りの開始と終了のタイミングを表す信号である。CIS_LGATEがハイレベルの期間中に１ラインの読み取りが行われる。CIS_LGATEがローレベルに切り替わり、所定時間後にハイレベルに切り替わると、次の１ラインの読み取りが開始される。Ｂ色点灯信号は、ＬＥＤ４０１Ｂの点灯の開始と終了のタイミングを表す信号である。Ｂ色点灯信号がハイレベルからローレベルに切り替わると、ＬＥＤ４０１Ｂに対して給電が開始され、これによってＬＥＤ４０１Ｒの点灯が開始される。Ｂ色点灯信号がローレベルの期間中、ＬＥＤ４０１Ｂは点灯を続ける。そして、Ｂ色点灯信号がハイレベルに切り替わるとＬＥＤ４０１Ｒに対する給電が終了され、これによってＬＥＤ４０１Ｂの点灯が終了される。ＬＥＤ４０１Ｇ、ＬＥＤ４０１Ｒについても同様に、Ｇ色点灯信号、Ｒ色点灯信号に基づいて点灯が行われる。
ＬＥＤ４０１Ｂ、ＬＥＤ４０１Ｇ、ＬＥＤ４０１Ｒの点灯終了タイミングは、それぞれ図６に示すＢ色点灯時間調整範囲、Ｇ色点灯時間調整範囲、Ｒ色点灯時間調整範囲の範囲内で調整可能となっている。
なお、点灯開始のタイミングは各色同一であり、固定値である。
【００３０】
次に、各ＬＥＤの点灯時間の調整について説明する。
図７は、記憶部５に記憶されている調整値テーブルを表す図である。調整値テーブルには、ＬＥＤ４０１Ｒ、４０１Ｇ、４０１Ｂの点灯時間を調整するための調整値が書き込まれている。この調整値は、図６に示したＢ色点灯時間調整範囲、Ｇ色点灯時間調整範囲、Ｒ色点灯時間調整範囲における始点からの経過時間を表している。例えば調整値が０の場合には、各色の点灯時間調整範囲の始点に達した時点でその色のＬＥＤの点灯が終了される。このようにして各色ＬＥＤの点灯時間が調整された結果として、各ＬＥＤの光量（光束と時間の積）が調整されることとなる。各ＬＥＤの光量が調整されるということは、結局、密着型イメージセンサ４００の光量の分光分布が調整されるということを意味する。すなわち、本実施形態では、各色ＬＥＤの点灯時間を調整することによって、密着型イメージセンサ４００の光量の分光分布を調整することができるというわけである。
【００３１】
本実施形態において自動原稿送り装置２００を使用して原稿の両面を並行して読み取る場合、上述のとおり、両面とも白黒画像が生成される。この場合、原稿の表面と裏面とで同一の表色値の画素を読み取った場合に、生成される白黒画像の濃度が両面で一致することが望ましいのは言うまでもない。本実施形態では、生成される白黒画像の濃度を両面で近づけるように、以下の手順により予め調整値を求めておく。
まず、縮小光学系３００を用いてカラーパッチを読み取らせ、生成された白黒画像の濃度を測定する。続いて、密着型イメージセンサ４００を用いて同一のカラーパッチを読み取らせ、生成された白黒画像の濃度を測定する。そして、裏面の各画素の濃度が表面の各画素の濃度に一致するように密着型イメージセンサ４００の各色ＬＥＤの光量の調整値を求める。
【００３２】
光量の調整値は以下のようにして求める。例えば、縮小光学系３００と密着型イメージセンサ４００とでＲ色に属する同一表色値の画素を読み取って白黒画像を生成したとする。密着型イメージセンサ４００で生成された白黒画像の濃度が縮小光学系３００で生成された白黒画像の濃度よりも低い場合、ＬＥＤ４０１Ｒの光量を増加させて再び白黒画像を生成し、縮小光学系３００で生成された白黒画像の濃度と比較する。密着型イメージセンサ４００で生成される白黒画像の濃度の方が高い場合には、ＬＥＤ４０１Ｒの光量を減少させる。両者の濃度差が許容される範囲内に収まるまで、この作業を繰り返す。そして、求められた調整値を調整テーブルのＬＥＤ４０１Ｒに対応する領域に書き込む。Ｇ色、Ｂ色についても同様である。この作業をカラーパッチ上のすべての色について行う。
【００３３】
ところで、図７に示した例では、No.1〜3の３つのパターンの調整値が調整値テーブルに書き込まれている。複数のパターンを用意しておく理由は以下のとおりである。
上述のように、本実施形態では、原稿の裏面の各画素の表色値と密着型イメージセンサ４００で生成される白黒画像の各画素の濃度との関係が、原稿の表面の各画素の表色値と縮小光学系３００で生成される白黒画像の各画素の濃度との関係に近づくように、各色ＬＥＤの点灯時間を調整する。しかしながら、いかなる調整を施したとしても、上記の関係をすべての波長にわたって精度よく近づけることができるわけではないということがわかっている。ここで、「精度よく近づける」とは、原稿の裏面と表面とで同一の表色値の画素を読み取って白黒画像を生成した場合に、２つの白黒画像の濃度差が所定の範囲内に収まることを意味する。
【００３４】
図８は、裏面と表面とで同一の表色値の画素を読み取った場合に生成される白黒画像の濃度を両面で精度よく近づけることのできる波長帯の組み合わせを表す図である。ここでは、色をＢ（Blue）色、Ｇ（Green）色、Ｒ（Red）色、Ｙ（Yellow）色、Ｍ（Magenta）色、Ｃ（Cyan）色の６つに分類している。○印は、白黒画像の濃度を両面で精度よく近づけることができることを表し、×印は、精度よく近づけることができないことを表す。図示のとおり、Ｇ色とＲ色、Ｍ色とＣ色はそれぞれトレードオフの関係にあり、Ｇ色の画素を読み取った場合の白黒画像の濃度を両面で精度よく近づくように各色ＬＥＤの光量を調整すると、Ｒ色の画素を読み取った場合の白黒画像の濃度を両面で精度よく近づけることができなくなる。反対に、Ｒ色の画素を読み取った場合の白黒画像の濃度を両面で精度よく近づけるように各色ＬＥＤの光量を調整すると、Ｇ色の画素を読み取った場合の白黒画像の濃度を両面で精度よく近づけることができなくなる。Ｍ色とＣ色に関しても同様である。そのため、本実施形態では、図８に示す組み合わせの各々に対応する各色ＬＥＤの調整値を予め記憶部５に記憶させておく。これが調整値テーブルである。
【００３５】
どのパターンの調整値を用いるかは、ユーザが指示受付部４１を用いて指定する。図９は、指示受付部４１に表示されるメニューを表す図である。ユーザがこの画面上で「レッド、マゼンタ」を指定すると図８におけるパターン１に対応する調整値、すなわち図７におけるパターン１の調整値が用いられる。「グリーン、シアン」が指定されるとパターン２の調整値が用いられる。「自動」が指定されるとパターン０の調整値が用いられる。このパターン０は、パターン１とパターン２の中間のパターンであり、特定の色について白黒画像の濃度を精度よく一致させることをせず、Ｇ色、Ｒ色、Ｍ色、Ｃ色の４色について同等の精度で両面の白黒画像の濃度を近づけるパターンである。ユーザが指示受付部４１により所望のパターンを指定すると、制御部４は指定されたパターンの調整値を調整値テーブルから読み出し、この調整値に従ってＢ色点灯信号、Ｇ色点灯信号、Ｒ色点灯信号を点灯制御部４０４に送る。そして、点灯制御部４０４は、Ｂ色点灯信号、Ｇ色点灯信号、Ｒ色点灯信号に従ってＬＥＤ４０１Ｂ、ＬＥＤ４０１Ｇ、ＬＥＤ４０１Ｒに対して電力を供給する。
【００３６】
このようにして各色ＬＥＤの点灯時間が調整され、縮小光学系３００、密着型イメージセンサ４００によってそれぞれ原稿の表面、裏面を白黒で表す信号が生成される。
制御部４は、縮小光学系３００、密着型イメージセンサ４００で生成された信号を受け取り、この信号に対してシェーディング補正、ガンマ補正等の処理を施してラスタ画像データを生成する。このラスタ画像データは画像出力部６に供給され、このラスタ画像データに基づいて記録媒体１０に画像が形成される。
【００３７】
＜変形例＞
以上説明した形態に限らず、本発明は種々の形態で実施可能である。例えば、上述の実施形態を以下のように変形した形態でも実施可能である。
【００３８】
＜変形例１＞
上述の実施形態ではユーザが指定した色に応じて光量を調整する例を示したが、原稿の種類に応じて光量を調整するようにしてもよい。図１０は、指示受付部４１に表示されるメニューを表す図である。このメニューは原稿に形成されている画像の種類に応じてガンマ補正の入出力特性を変更するためのメニューである。従来行われてきたガンマ補正においては、例えば、文字主体の原稿の場合、文字と背景の境界を鮮明に表すために高濃度の領域で勾配が急になるように設定された補正曲線を用いる。一方、写真からなる原稿の場合、そのような補正曲線を用いたのでは濃淡の微妙な変化を表すことができない。従って、写真の場合には勾配の緩やかな補正曲線を用いる。
【００３９】
ガンマ補正の処理は、縮小光学系３００および密着型イメージセンサ４００から出力された信号を入力値として行われる。既に述べたように、画像入力部１００は表面用と裏面用とで分光分布の異なる光源を用いているため、以下に述べるような不都合が生じ得る。例えば、文字原稿に対応したガンマ補正を施した場合に原稿の各画素の表色値と白黒画像の各画素の濃度との関係を両面で精度よく近づけるように各色ＬＥＤの光量を調整したとする。仮に、各色ＬＥＤの光量をそのままにして写真原稿を読み取り、写真原稿用のカンマ補正を施したとすると、補正曲線が異なるために、原稿の各画素の表色値と白黒画像の各画素の濃度との関係が文字原稿の場合と比べて乖離してしまうことがあり得る。このような不都合を解消するために本変形例では、原稿に形成されている画像の種類に応じて複数のパターンの調整値を調整値テーブルと同様に予め記憶させておき、ユーザが指定した画像の種類に応じたパターンの調整値を用いて各色ＬＥＤの光量を調整する。
【００４０】
＜変形例２＞
上述の実施形態では本発明を複写機に適用した例を示したが、画像入力部１００によって生成されたラスタ画像データを出力する画像読取装置に本発明を適用してもよい。すなわち、この画像読取装置は、上述した制御部４、記憶部５、指示受付部４１、通信Ｉ／Ｆ４８および画像入力部１００から構成される。この場合、画像入力部１００によって生成されたラスタ画像データを通信Ｉ／Ｆ４８を介して他の装置に送信するようにしてもよいし、ラスタ画像データを記憶部５に記憶させるようにしてもよい。
【００４１】
＜変形例３＞
上述の実施形態では各色ＬＥＤの点灯時間を調整することによって光量を調整する例を示したが、各色ＬＥＤの駆動電流を調整するための調整値を定めて調整値テーブルに記憶させておき、この調整値に従って各色ＬＥＤの駆動電流を調整することによって光量を調整するようにしてもよい。
【００４２】
＜変形例４＞
上述の実施形態では制御部４がプログラムを実行することによって画像入力部１００の制御を行う例を示したが、同様の機能をハードウェアに実装するようにしてもよい。また、磁気ディスク等の記憶媒体に上記のプログラムを記憶させておき、この記憶媒体を介して記憶部５にプログラムを格納するようにしてもよい。また、通信ネットワークを介して上記のプログラムを受信し、受信されたプログラムを記憶部５に格納するようにしてもよい。
【図面の簡単な説明】
【００４３】
【図１】複写機１の構成を表す図である。
【図２】画像入力部１００の構成を表す図である。
【図３】密着型イメージセンサ４００を表す図である。
【図４】キセノンランプ３０１の分光分布を表す図である。
【図５】ＬＥＤ４０１Ｒ、４０１Ｇ、４０１Ｂの分光分布を表す図である。
【図６】各色ＬＥＤの点灯時間を調整するための信号を表す図である。
【図７】調整値テーブルを表す図である。
【図８】白黒画像の濃度を両面で精度よく近づけることのできる波長帯の組み合わせを表す図である。
【図９】指示受付部４１に表示されるメニューを表す図である。
【図１０】指示受付部４１に表示されるメニューを表す図である。
【符号の説明】
【００４４】
１…複写機、４…制御部、５…記憶部、４１…指示受付部、４８…通信Ｉ／Ｆ、６…画像出力部、１０…記録媒体、１００…画像読取部、２００…自動原稿送り装置、３００…縮小光学系、３０１…キセノンランプ、３０２…第１ミラー、３０３…第２ミラー、３０４…第３ミラー、３０５…レンズ、３０６Ｒ，３０６Ｇ、３０６Ｂ…ＣＣＤラインセンサ、４００…密着型イメージセンサ、４０１Ｒ、４０１Ｇ、４０１Ｂ…ＬＥＤ、４０２…レンズ、４０３…ＣＣＤ、４０４…点灯制御部。
【図１】
2008131178.tif 000003
【図２】
2008131178.tif 000004
【図３】
2008131178.tif 000005
【図４】
2008131178.tif 000006
【図５】
2008131178.tif 000007
【図６】
2008131178.tif 000008
【図７】
2008131178.tif 000009
【図８】
2008131178.tif 000010
【図９】
2008131178.tif 000011
【図１０】
2008131178.tif 000012